(57)【要約】【課題】外観意匠性に優れ、壁面への高い留め付け強度を確保することができる妻飾り及び妻飾り固定構造を提供すること。【解決手段】建物の妻部の壁面に配設して妻部を装飾するための妻飾り１。妻飾り１は、妻飾り１を壁面に固定するための２箇所の中央固定部１１及び２箇所の側方固定部１２を有する。２箇所の中央固定部１１は、妻飾り１の上下方向の中心線Ｌ上における上端部及び下端部にそれぞれ設けてある。２箇所の側方固定部１２は、中心線Ｌからそれぞれ左右に同等の距離だけ離れた位置に設けてある。中央固定部１１及び側方固定部１２以外の部位は、壁面に接触しないよう構成されている。【選択図】図１
2005314905.tif 000002
【特許請求の範囲】
【請求項１】
建物の妻部の壁面に配設して該妻部を装飾するための妻飾りにおいて、
該妻飾りは、該妻飾りを上記壁面に固定するための２箇所の中央固定部及び２箇所の側方固定部を有し、
上記２箇所の中央固定部は、上記妻飾りの上下方向の中心線上における上端部及び下端部にそれぞれ設けてあり、
上記２箇所の側方固定部は、上記中心線からそれぞれ左右に同等の距離だけ離れた位置に設けてあり、
かつ、上記中央固定部及び上記側方固定部以外の部位は、上記壁面に接触しないよう構成されていることを特徴とする妻飾り。
【請求項２】
請求項１において、上記妻飾りは、意匠面を構成する本体部が、上記中央固定部において上記壁面に接触するよう構成してあることを特徴とする妻飾り。
【請求項３】
請求項１又は２において、上記妻飾りは、意匠面の８０％以上を略割球表面内に形成してなることを特徴とする妻飾り。
【請求項４】
請求項１〜３のいずれか一項において、上記側方固定部は、上記妻飾りの本体部から後方に突出した脚部を有することを特徴とする妻飾り。
【請求項５】
請求項４において、上記脚部は、１０〜１００ｍｍの高さを有することを特徴とする妻飾り。
【請求項６】
請求項１〜５のいずれか一項において、上記妻飾りは、金属材料からなることを特徴とする妻飾り。
【請求項７】
建物の妻部を装飾するための妻飾りを該妻部の壁面に固定してなる妻飾り固定構造において、
上記妻飾りは、該妻飾りを上記壁面に固定するための２箇所の中央固定部及び２箇所の側方固定部を有し、上記２箇所の中央固定部は、上記妻飾りの上下方向の中心線上における上端部及び下端部にそれぞれ設けてあり、上記２箇所の側方固定部は、上記中心線からそれぞれ左右に同等の距離だけ離れた位置に設けてあり、
上記中央固定部は、上記妻部における外壁板が留め付けられた下地材の前方に配されていると共に、固定具によって上記下地材に固定されており、
かつ、上記妻飾りにおける上記中央固定部及び上記側方固定部以外の部位は、上記壁面に接触していないことを特徴とする妻飾り固定構造。
【請求項８】
請求項７において、上記妻飾りは、意匠面を構成する本体部が、上記中央固定部において上記壁面に接触していることを特徴とする妻飾り固定構造。
【請求項９】
請求項７又は８において、上記側方固定部は、上記下地材の前方に配されていると共に、固定具によって上記下地材に固定されていることを特徴とする妻飾り固定構造。
【請求項１０】
請求項７〜９のいずれか一項において、上記固定具は、上記下地材に達する長さを有するビスからなり、該ビスのビス山は、上記外壁板及び上記下地材の双方に螺合していることを特徴とする妻飾り固定構造。
【請求項１１】
請求項１０において、上記ビスは、高さの異なる２種類のビス山を交互に設けてなることを特徴とする妻飾り固定構造。
【請求項１２】
請求項７〜１１のいずれか一項において、上記妻飾りは、意匠面の８０％以上を略割球表面内に形成してなることを特徴とする妻飾り固定構造。
【請求項１３】
請求項７〜１２のいずれか一項において、上記側方固定部は、上記妻飾りの本体部から後方に突出した脚部を有することを特徴とする妻飾り固定構造。
【請求項１４】
請求項１３において、上記脚部は、１０〜１００ｍｍの高さを有することを特徴とする妻飾り固定構造。
【請求項１５】
請求項７〜１４のいずれか一項において、上記妻飾りは、金属材料からなることを特徴とする妻飾り固定構造。
【発明の詳細な説明】
【技術分野】
【０００１】
本発明は、建物の妻部を装飾するための妻飾り、及び該妻飾りを妻部に固定した妻飾り固定構造に関する。
【背景技術】
【０００２】
従来より、建物の妻部の壁面に配設して該妻部を装飾するための妻飾りがある（特許文献１、２参照）。
上記妻飾りは、耐候性、外観意匠性を考慮して、金属材料からなるものが用いられることが多い。
そして、上記妻飾りは、モルタル壁やサイディング壁等により構成された上記妻部の壁面に、ビス等の固定具を打ち込むことにより固定される。
【０００３】
しかしながら、上記妻飾りの重量が大きい場合など、壁面に対する妻飾りの留め付け強度を充分に確保する必要がある。それ故、壁面の下地材に対しても上記固定具を打ち込むことができるような構成を、上記妻飾りが有している必要がある。
また、上記妻飾りが、壁面と接触する部分が大きいと、その部分から雨水が流下し、壁面に雨垂れ汚れが生ずるおそれがある。
【０００４】
【特許文献１】意匠登録第１１５２４３３号公報
【特許文献２】意匠登録第１１６９２１０号公報
【発明の開示】
【発明が解決しようとする課題】
【０００５】
本発明は、上記従来の問題点に鑑みてなされたものであり、外観意匠性に優れ、壁面への高い留め付け強度を確保することができる妻飾り及び妻飾り固定構造を提供しようとするものである。
【課題を解決するための手段】
【０００６】
第１の発明は、建物の妻部の壁面に配設して該妻部を装飾するための妻飾りにおいて、
該妻飾りは、該妻飾りを上記壁面に固定するための２箇所の中央固定部及び２箇所の側方固定部を有し、
上記２箇所の中央固定部は、上記妻飾りの上下方向の中心線上における上端部及び下端部にそれぞれ設けてあり、
上記２箇所の側方固定部は、上記中心線からそれぞれ左右に同等の距離だけ離れた位置に設けてあり、
かつ、上記中央固定部及び上記側方固定部以外の部位は、上記壁面に接触しないよう構成されていることを特徴とする妻飾りにある（請求項１）。
【０００７】
次に、本発明の作用効果につき説明する。
上記妻飾りは、２箇所の中央固定部を妻飾りの中心線上に設けている。そのため、妻飾りを壁面に固定する際に、上記２箇所の中央固定部の双方を、同一の鉛直線上に配置することができる。
これにより、鉛直方向に配設された下地材が存在する部分に、上記２箇所の中央固定部の双方を配置して、上記妻飾りを固定することができる。即ち、上記２箇所の中央固定部において、外壁板を介して上記下地材に妻飾りを固定することができる。それ故、上記妻飾りは、壁面への高い留め付け強度を確保することができる。
また、上記２箇所の中央固定部は、上記中心線上における上端部及び下端部にそれぞれ設けてあるため、壁面への固定力を向上させることができる。
【０００８】
また、上記妻飾りは、上記中心線から左右に同等の距離だけ離れた位置に、上記２箇所の側方固定部を設けている。そのため、上記中央固定部における負荷を軽減すると共に、上記２箇所の側方固定部における負荷を均等にすることができる。これにより、妻飾りの壁面への留め付け強度を確保することができる。
【０００９】
また、上記妻飾りは、上記中央固定部及び側方固定部以外の部位が壁面に接触しないよう構成してあるため、上記妻飾りを壁面に留め付けた場合、壁面に雨垂れ汚れが生ずる部分を少なくすることができる。即ち、雨垂れ汚れは、妻飾りと壁面との接触部から、雨水が壁面を伝って流れ落ちることにより生ずるが、本発明の妻飾りは、妻飾りと壁面との接触部を上記中央固定部及び側方固定部に限定することにより、接触面積を小さくしている。これにより、上記雨垂れ汚れの生ずる部分が小さくなり、外観意匠性の低下を防ぐことができる。
【００１０】
以上のごとく、本発明によれば、外観意匠性に優れ、壁面への高い留め付け強度を確保することができる妻飾りを提供することができる。
【００１１】
第２の発明は、建物の妻部を装飾するための妻飾りを該妻部の壁面に固定してなる妻飾り固定構造において、
上記妻飾りは、該妻飾りを上記壁面に固定するための２箇所の中央固定部及び２箇所の側方固定部を有し、上記２箇所の中央固定部は、上記妻飾りの上下方向の中心線上における上端部及び下端部にそれぞれ設けてあり、上記２箇所の側方固定部は、上記中心線からそれぞれ左右に同等の距離だけ離れた位置に設けてあり、
上記中央固定部は、上記妻部における外壁板が留め付けられた下地材の前方に配されていると共に、固定具によって上記下地材に固定されており、
かつ、上記妻飾りにおける上記中央固定部及び上記側方固定部以外の部位は、上記壁面に接触していないことを特徴とする妻飾り固定構造にある（請求項７）。
【００１２】
次に、本発明の作用効果につき説明する。
上記妻飾りは、２箇所の中央固定部を妻飾りの中心線上に設けている。そして、上記中央固定部は、上記妻部における下地材の前方に配されていると共に、固定具によって上記下地材に固定されている。
そのため、上記２箇所の中央固定部の双方を、同一の鉛直線上に配置すると共に、外壁板を介して上記下地材に妻飾りを固定することができる。それ故、上記妻飾りの壁面への高い留め付け強度を確保することができる。
【００１３】
また、上記２箇所の中央固定部は、上記中心線上における上端部及び下端部にそれぞれ設けてあるため、壁面への固定力を向上させることができる。
また、上記妻飾りは、上記２箇所の側方固定部を設けているため、上記中央固定部における負荷を軽減すると共に、上記２箇所の側方固定部における負荷を均等にすることができる。これにより、妻飾りの壁面への留め付け強度を確保することができる。
【００１４】
また、上記妻飾りにおける上記中央固定部及び側方固定部以外の部位は、壁面に接触していないため、壁面に雨垂れ汚れが生ずる部分を少なくすることができる。即ち、妻飾りと壁面との接触部を上記中央固定部及び側方固定部に限定して、接触面積を小さくしたことにより、上記雨垂れ汚れの生ずる部分が小さくなり、外観意匠性の低下を防ぐことができる。
【００１５】
以上のごとく、本発明によれば、外観意匠性に優れ、壁面への高い留め付け強度を確保することができる妻飾り固定構造を提供することができる。
【発明を実施するための最良の形態】
【００１６】
上記第１の発明（請求項１）において、上記中心線は、該中心線の左右における妻飾りの体積が略同一となるような直線とすることができる。また、上記中心線の左右における妻飾りの重量が略同一となることが好ましい。
【００１７】
また、上記妻飾りは、意匠面を構成する本体部が、上記中央固定部において上記壁面に接触するよう構成してもよい（請求項２）。
この場合には、上記妻飾りを壁面に取り付けた際、外観上、妻飾りの意匠面が上記壁面に対して違和感なく融合し、外観意匠性を向上することができる。
【００１８】
また、上記妻飾りは、意匠面の８０％以上を略割球表面内に形成してなることが好ましい（請求項３、請求項１２）。
この場合には、外観意匠性を確保することができる。即ち、上記妻飾りは、正面下方、或いは斜め下方から見上げて観察されることが多いが、これらの方向を含めたあらゆる方向から観察しても、その外観意匠性を確保することができる。
また、上記妻飾りを、型を用いて成形する場合に脱型作業が容易となるなど、製造面においても有利である。
【００１９】
略割球表面内にある上記意匠面が８０％未満の場合には、上記の効果が充分に得られないおそれがある。
なお、「意匠面の８０％以上を略割球表面内に形成」とは、一つの仮想球面に対して、上記意匠面のうちの８０％以上の面積分がその仮想球面に沿って形成されていることを示す。また、この仮想球面は、例えば２００〜９００ｍｍの曲率半径を有する球面とすることができる。
【００２０】
また、上記側方固定部は、上記妻飾りの本体部から後方に突出した脚部を有することが好ましい（請求項４、請求項１３）。
この場合には、上記側方固定部における壁面との接触面積を小さくすることができ、雨垂れ汚れの発生を抑制することができる。
【００２１】
また、上記脚部は、１０〜１００ｍｍの高さを有することが好ましい（請求項５、請求項１４）。
この場合には、雨垂れ汚れの発生を抑制しつつ、外観意匠性を確保することができる。
上記脚部の高さが１０ｍｍ未満の場合には、上記側方固定部付近の妻飾りの本体部と、上記壁面との間に雨水が溜まり、雨垂れ汚れが発生しやすくなるおそれがある。一方、上記脚部の高さが１００ｍｍを超える場合には、上記妻飾りの外観意匠性が損なわれるおそれがある。
【００２２】
また、上記妻飾りは、金属材料からなることが好ましい（請求項６、請求項１５）。
この場合には、耐久性、外観意匠性に優れた妻飾りを得ることができる。
上記金属材料としては、例えば、アルミニウム、鉄、ステンレス鋼、銅などを用いることができる。また、これらの金属材料の表面にウレタン等の塗装を施してもよい。
また、金属材料以外にも、ＦＲＰ等の樹脂によって上記妻飾りを形成することもできる。
【００２３】
次に、上記第２の発明（請求項７）において、上記下地材としては、例えば小屋根の束などの構造躯体や、これに固定された胴縁等がある。
また、上記妻飾りと壁面との接触面積は、例えば、５００〜５０００ｍｍ2であることが好ましい。接触面積が５００ｍｍ2未満の場合には、妻飾りの留め付け強度を充分に確保することが困難となるおそれがあり、接触面積が５０００ｍｍ2を超える場合には、雨垂れ汚れの発生を充分に抑制することが困難となるおそれがある。
【００２４】
また、上記妻飾りは、意匠面を構成する本体部が、上記中央固定部において上記壁面に接触していてもよい（請求項８）。
この場合には、外観上、妻飾りの意匠面が上記壁面に対して違和感なく融合し、外観意匠性を向上させることができる。
【００２５】
また、上記側方固定部は、上記下地材の前方に配されていると共に、固定具によって上記下地材に固定されていることが好ましい（請求項９）。
この場合には、上記側方固定部における固定力も向上させることができ、一層留め付け強度に優れた妻飾り固定構造を得ることができる。
【００２６】
また、上記固定具は、上記下地材に達する長さを有するビスからなり、該ビスのビス山は、上記外壁板及び上記下地材の双方に螺合していることが好ましい（請求項１０）。
この場合には、上記妻飾りが上記下地材及び外壁板の双方に固定されることとなり、一層留め付け強度に優れた妻飾り固定構造を得ることができる。
【００２７】
また、上記ビスは、高さの異なる２種類のビス山を交互に設けてなることが好ましい（請求項１１）。
この場合には、上記ビスによる上記下地材及び外壁板への食い込みを強く行うことができ、一層留め付け強度に優れた妻飾り固定構造を得ることができる。
【００２８】
（実施例１）
本発明の実施例にかかる妻飾り及び妻飾り固定構造につき、図１〜図１１を用いて説明する。
本例の妻飾り１は、図７に示すごとく、建物の妻部２１の壁面２２に配設して該妻部２１を装飾するための装飾物である。
【００２９】
該妻飾り１は、図１〜図６、図８〜図１０に示すごとく、妻飾り１を上記壁面２２に固定するための２箇所の中央固定部１１及び２箇所の側方固定部１２を有する。
上記２箇所の中央固定部１１は、図１に示すごとく、上記妻飾り１の上下方向の中心線Ｌ上における上端部及び下端部にそれぞれ設けてある。
上記２箇所の側方固定部１２は、上記中心線Ｌからそれぞれ左右に同等の距離だけ離れた位置に設けてある。
【００３０】
また、図２、図３、図９、図１０に示すごとく、上記妻飾り１における、中央固定部１１及び側方固定部１２以外の部位は、上記壁面２２に接触しないよう構成されている。
また、上記妻飾り１は、意匠面１３１を構成する本体部１３が、上記中央固定部１１において上記壁面２２に接触するよう構成してある。逆に、上記中央固定部１１以外においては、本体部１３は壁面２２に接触しない。
【００３１】
また、上記妻飾り１は、図２、図３、図６に示すごとく、意匠面１３１の８０％以上を略割球表面内に形成してなる。即ち、上記中央固定部１１付近以外は、上記略割球表面内に形成されている。この略割球の曲率半径は、約３５０ｍｍである。
また、図２、図３、図５に示すごとく、上記側方固定部１２は、上記妻飾り１の本体部１３から後方に突出した脚部１４を有する。該脚部１４は、約３０ｍｍの高さを有する。
また、上記妻飾り１は、金属材料からなる。具体的には、アルミニウム鋳物からなり、ウレタン焼付けにより表面を仕上げてある。
【００３２】
上記妻飾り１は、図１、図３に示すごとく、左右対称形状を有する。そして、上下高さが約６００ｍｍ、左右幅が約４００ｍｍ、前後の奥行きが約９０ｍｍである。また、本体部１３は、厚み約８ｍｍの略球殻状に形成されている。
そして、上記中心線Ｌの左右における妻飾り１の体積及び重量が略同一となっている。
なお、上記妻飾り１の重量は、約１５００〜１６００ｇ程度である。
また、上記側方固定部１２は、上記中心線Ｌからそれぞれ左右に約１９０ｍｍ離れた位置に形成してある。
【００３３】
上記中央固定部１１は、図４に示すごとく、本体部１３に貫通孔１１１を形成してなる。該貫通孔１１１は二段構成になっており、意匠面１３１側の大径部１１２と裏面１３２側の小径部１１３とからなる。
また、上記側方固定部１２は、図５に示すごとく、上記脚部１４と該脚部１４が配設された本体部１３の部分とに連通する貫通孔１２１を設けてなる。そして、該貫通孔１２１も、二段構成になっており、本体部１３に設けた大径部１２２と脚部１４に設けた小径部１２３とからなる。
上記貫通孔１１１、１２１には、後述するビス４１、４１０（図１１）が挿入され、該ビス４１のビス頭部４１２が上記大径部１１２、１２２に収まる。
【００３４】
次に、上記妻飾り１を妻部２１の壁面２２に固定してなる妻飾り固定構造３につき、図７〜図１１を用いて説明する。
図８〜図１０に示すごとく、上記妻飾り１における中央固定部１１は、妻部２１における外壁板２３が留め付けられた下地材２４の前方に配されていると共に、固定具４によって上記下地材２４に固定されている。
そして、図９、図１０に示すごとく、上記妻飾り１における中央固定部１１及び側方固定部１２以外の部位は、上記壁面２２に接触していない。
【００３５】
また、図９、図１０に示すごとく、意匠面１３１を構成する本体部１３が、上記中央固定部１１において壁面２２に接触している。
上記側方固定部１２も、下地材２４の前方に配されていると共に、固定具４によって上記下地材２４に固定されている。
【００３６】
上記下地材２４は、建物の構造躯体２５に固定された縦胴縁２４１及び横胴縁２４２からなる。即ち、上記中央固定部１１は、小屋根の束２５１の前面に沿って鉛直方向に固定された縦胴縁２４１に固定され、上記側方固定部１２は、上記束２５１に対して直交するように配設された水平方向の横胴縁２４２に固定されている。
【００３７】
上記固定具４は、図９、図１０に示すごとく、上記下地材２４に達する長さを有するビス４１、４１０からなる。該ビス４１、４１０のビス山４１１は、上記外壁板２３及び上記下地材２４の双方に螺合している。
即ち、図１１（ａ）に示すごとく、上記中央固定部１１に配置されるビス４１は、ビス頭部４１２付近からビス４１の先端までビス山４１１が形成されている。一方、上記側方固定部１２に配置されるビス４１０は、図１１（ｂ）に示すごとく、ビス頭部４１２から、上記妻飾り１の脚部１４の高さ分（約３０ｍｍ）の領域にはビス山４１１を形成しておらず、その先から先端までの間（約５０ｍｍ）にビス山４１１を形成している。
上記ビス４１の首下長さは約５５ｍｍとし、上記ビス４１０の首下長さは約８０ｍｍとすることができる。
【００３８】
また、上記ビス４１、４１０は、高さの異なる２種類のビス山４１１ａ、４１１ｂを交互に設けてなる。即ち、例えば高さ約１．０ｍｍの比較的高いビス山４１１ａと、高さ約０．５ｍｍの比較的低いビス山４１１ｂが交互に形成されている。各ビス山４１１ａ、４１１ｂは、それぞれ１本の螺旋状に形成されている。
【００３９】
また、上記妻飾り１と壁面２２との接触面積は、約４６００ｍｍ2である。即ち、上記２箇所の中央固定部１１における壁面２２との接触面積は、それぞれ約２０００ｍｍ2であり、上記２箇所の側方固定部１２の脚部１４における壁面２２との接触面積は、それぞれ約３００ｍｍ2である。
【００４０】
次に、本例の作用効果につき説明する。
上記妻飾り１は、２箇所の中央固定部１１を妻飾り１の中心線Ｌ上に設けている。そのため、妻飾り１を壁面２２に固定する際に、上記２箇所の中央固定部１１の双方を、同一の鉛直線上に配置することができる。
これにより、図８〜図１０に示すごとく、鉛直方向に配設された下地材２４（縦胴縁２４１）が存在する部分に、上記２箇所の中央固定部１１の双方を配置して、上記妻飾り１を固定することができる。即ち、上記２箇所の中央固定部１１において、外壁板２３を介して上記下地材２４に妻飾りを固定することができる。それ故、上記妻飾り１は、壁面２２への高い留め付け強度を確保することができる。
【００４１】
より具体的には、妻部２１には、鉛直方向に束２５１が配設されており、その前面に縦胴縁２４１が固定されている。しかも、上記束２５１は、妻部２１の中央部分に配設されているのが通常である。それ故、上記束２５１に固定された縦胴縁２４１に中央固定部１１を配して妻飾り１を固定することにより、留め付け強度を確保すると共に、図７に示すごとく、妻部２１の中央部分に妻飾り１を配置することができることとなり、優れた外観意匠性も確保することができる。
【００４２】
また、上記２箇所の中央固定部１１は、上記中心線Ｌ上における上端部及び下端部にそれぞれ設けてあるため、壁面２２への固定力を向上させることができる。
また、上記妻飾り１は、上記中心線Ｌから左右に同等の距離だけ離れた位置に、上記２箇所の側方固定部１２を設けている。そのため、上記中央固定部１１における負荷を軽減すると共に、上記２箇所の側方固定部１２における負荷を均等にすることができる。これにより、妻飾り１の壁面２２への留め付け強度を確保することができる。
【００４３】
また、図９、図１０に示すごとく、上記妻飾り１は、上記中央固定部１１及び側方固定部１２以外の部位が壁面２２に接触していないよう構成してあるため、上記妻飾り１を壁面２２に留め付けた場合、壁面２２に雨垂れ汚れが生ずる部分を少なくすることができる。即ち、雨垂れ汚れは、妻飾り１と壁面２２との接触部から、雨水が壁面２２を伝って流れ落ちることにより生ずるが、本例の妻飾り１は、妻飾り１と壁面２２との接触部を上記中央固定部１１及び側方固定部１２に限定することにより、接触面積を小さくしている。これにより、上記雨垂れ汚れの生ずる部分が小さくなり、外観意匠性の低下を防ぐことができる。
【００４４】
また、上記妻飾り１は、本体部１３が中央固定部１１において壁面２２に接触するため、外観上、妻飾り１の意匠面１３１が壁面２２に対して違和感なく融合し、外観意匠性を向上することができる。
また、上記妻飾り１は、意匠面１３１の８０％以上を略割球表面内に形成してなるため、外観意匠性を確保することができる。即ち、上記妻飾り１は、正面下方、或いは斜め下方から見上げて観察されることが多いが、これらの方向を含めたあらゆる方向から観察しても、その外観意匠性を確保することができる。
また、上記妻飾り１を、型を用いて成形する場合に脱型作業が容易となるなど、製造面においても有利である。
【００４５】
また、上記側方固定部１２は上記脚部１４を有するため、側方固定部１２における壁面２２との接触面積を小さくすることができ、雨垂れ汚れの発生を抑制することができる。
また、上記脚部１４は約３０ｍｍの高さを有するため、雨垂れ汚れの発生を抑制しつつ、外観意匠性を確保することができる。
また、上記妻飾り１は金属材料からなるため、耐久性、外観意匠性に優れたものとすることができる。
【００４６】
また、上記妻飾り１を壁面２２に固定する固定具４は、上記下地材２４に達する長さを有するビス４１、４１０からなり、該ビス４１、４１０のビス山４１１は、上記外壁板２３及び下地材２４の双方に螺合している。それ故、上記妻飾り１が下地材２４及び外壁板２３の双方に固定されることとなり、一層留め付け強度に優れた妻飾り固定構造３を得ることができる。
【００４７】
また、図１１（ａ）、（ｂ）に示すごとく、上記ビス４１、４１０は、高さの異なる２種類のビス山４１１ａ、４１１ｂを交互に設けてなる。そのため、上記ビス４１、４１０による下地材２４及び外壁板２３への食い込みを強く行うことができ、一層留め付け強度に優れた妻飾り固定構造３を得ることができる。
【００４８】
以上のごとく、本例によれば、外観意匠性に優れ、壁面への高い留め付け強度を確保することができる妻飾り及び妻飾り固定構造を提供することができる。
【００４９】
（実施例２）
本例は、図１２〜図１４に示すごとく、妻飾り１を壁面２２に固定するための固定具４として、先端拡張式の打ち込みリベット４２を用いた例である。
該打ち込みリベット４２を用いて妻飾り１を壁面２２に固定するに当っては、図１２に示すごとく、まず、外壁板２３に有底穴２３１を穿設する。そして、図１３に示すごとく、該有底穴２３１に、上記妻飾り１の中央固定部１１の貫通孔１１１を通して、上記打ち込みリベット４２をセットする。次いで、セットされた打ち込みリベット４２を、打ち込み機（図示略）によって外壁板２３に向かって打ち込む。
【００５０】
これにより、図１４に示すごとく、上記打ち込みリベット４２の先端４２１が拡開して、上記有底穴２３１から外壁板２３に食い込む。そして、上記打ち込みリベット４２のリベットヘッド４２２と外壁板２３とによって、妻飾り１の中央固定部１１が不動状態でクランプされ、固定される。なお、固定後に、打ち込みリベット４２の支軸４２３は適宜の手段により除去される。
【００５１】
上記側方固定部１２も同様に、打ち込みリベット４２によって壁面２２に固定することができる。ただし、打ち込みリベット４２の形状は、多少異ならせる必要はある。
その他は、実施例１と同様である。
【００５２】
本例の場合には、上記打ち込みリベット４２を外壁板２３にのみ固定し、胴縁や構造躯体にまでは打ち込まない。そして、打ち込みリベット４２の先端４２１が拡開することにより、外壁板２３に確実に食い込まれ固定される。
それ故、下地材がない位置においても、妻飾り１を固定することができる。
その他、実施例１と同様の作用効果を有する。
【００５３】
（実施例３）
本例は、図１５〜図１７に示すごとく、左右対称形状ではない妻飾り１の例である。
該妻飾り１においても、２箇所の中央固定部１１は、図１５に示すごとく、上記妻飾り１の上下方向の中心線Ｌ上における上端部及び下端部にそれぞれ設けてあり、２箇所の側方固定部１２は、上記中心線Ｌからそれぞれ左右に同等の距離だけ離れた位置に設けてある。即ち、上記中心線Ｌの左右における妻飾り１の形状は非対称であるが、体積及び重量が略同一となっている。
その他は、実施例１と同様である。
本例の場合にも、実施例１と同様の作用効果を有する。
なお、上記実施例１〜３に示した以外にも、種々の形状の妻飾りにつき、本発明を適用することができる。
【図面の簡単な説明】
【００５４】
【図１】実施例１における、妻飾りの正面図。
【図２】実施例１における、妻飾りの側面図。
【図３】実施例１における、妻飾りの底面図。
【図４】図１のＡ−Ａ線矢視断面図。
【図５】図１のＢ−Ｂ線矢視断面図。
【図６】実施例１における、妻飾りの斜視図。
【図７】実施例１における、建物の妻部に妻飾りを取り付けた状態を表す斜視図。
【図８】実施例１における、妻飾り固定構造の正面図。
【図９】実施例１における、妻飾り固定構造の側面図。
【図１０】実施例１における、妻飾り固定構造の底面図。
【図１１】実施例１における、（ａ）中央固定部に用いるビスの説明図、（ｂ）側方固定部に用いるビスの説明図。
【図１２】実施例２における、打ち込みリベットによる固定方法の説明図。
【図１３】図１２に続く、打ち込みリベットによる固定方法の説明図。
【図１４】図１３に続く、打ち込みリベットによる固定方法の説明図。
【図１５】実施例３における、妻飾りの正面図。
【図１６】実施例３における、妻飾りの側面図。
【図１７】実施例３における、妻飾りの底面図。
【符号の説明】
【００５５】
１  妻飾り
１１  中央固定部
１２  側方固定部
１３  本体部
１３１  意匠面
１４  脚部
２１  妻部
２２  壁面
２３  外壁板
２４  下地材
３  妻飾り固定構造
４  固定具
Ｌ  中心線
【図１】
2005314905.tif 000003
【図２】
2005314905.tif 000004
【図３】
2005314905.tif 000005
【図４】
2005314905.tif 000006
【図５】
2005314905.tif 000007
【図６】
2005314905.tif 000008
【図７】
2005314905.tif 000009
【図８】
2005314905.tif 000010
【図９】
2005314905.tif 000011
【図１０】
2005314905.tif 000012
【図１１】
2005314905.tif 000013
【図１２】
2005314905.tif 000014
【図１３】
2005314905.tif 000015
【図１４】
2005314905.tif 000016
【図１５】
2005314905.tif 000017
【図１６】
2005314905.tif 000018
【図１７】
2005314905.tif 000019